(57)【要約】【課題】既存の設備に変更を加えることなく、既設のシャワーハンガに取り付けるだけでシャワーヘッドの位置や方向を適宜変更できるシャワーホルダを提供する。【解決手段】シャワーホルダ１は、浴室内に設置された既設のシャワーハンガ２に取り付けられる取付支持部３と、シャワーヘッド４を保持するシャワーヘッド保持部５と、取付支持部３とシャワーヘッド保持部５との間を連結する連結アーム６とから構成される。連結アーム６は伸縮自在となっており、シャワーヘッド保持部５は浴室の壁面７に対して垂直な方向に移動可能となっている。シャワー使用時は、使用者は自分の位置に合わせてシャワーヘッド４を適宜自分の方へ引き寄せる。この際、連結アーム６が伸張し、使用者は最も使い勝手の良い位置までシャワーヘッド４を移動させることができ、前屈みの無理な姿勢を取らなくとも十分な水圧でシャワーを使用できる。【選択図】図２
2005188172.tif 000002
【特許請求の範囲】
【請求項１】
壁面に設置されたシャワーハンガに嵌合保持される取付支持部と、
前記取付支持部に設けられた連結アームと、
前記連結アームの先端部に取り付けられ、シャワーヘッドを保持可能なシャワーヘッド保持部とを有することを特徴とするシャワーホルダ。
【請求項２】
請求項１記載のシャワーホルダにおいて、前記連結アームは伸縮可能に形成されていることを特徴とするシャワーホルダ。
【請求項３】
請求項１又は２記載のシャワーホルダにおいて、前記連結アームは伸縮棒からなることを特徴とするシャワーホルダ。
【請求項４】
請求項１〜３の何れか１項に記載のシャワーホルダにおいて、前記シャワーヘッド保持部は、前記連結アームを中心に揺動又は回転可能に設けられることを特徴とするシャワーホルダ。
【請求項５】
壁面に設置された複数個のシャワーハンガにそれぞれ嵌合保持される複数個の取付支持部と、
前記取付支持部に取り付けられ、前記壁面に対し揺動又は回転可能なガイドホルダと、
前記ガイドホルダに保持されて前記シャワーハンガ間に架設されるガイドレールと、
シャワーヘッドを保持可能なシャワーヘッド保持部を備え、前記ガイドレールに沿って移動可能に取り付けられたスライダとを有することを特徴とするシャワーホルダ。
【請求項６】
請求項５記載のシャワーホルダにおいて、前記スライダは、前記ガイドレールに取り付けられるスライダ本体と、前記スライダ本体とは別体に形成された前記シャワーヘッド保持部と、前記スライダ本体と前記シャワーヘッド保持部との間に設けられ伸縮可能に形成された連結アームとを有することを特徴とするシャワーホルダ。
【請求項７】
請求項５又は６記載のシャワーホルダにおいて、前記シャワーヘッド保持部は回転可能に設けられることを特徴とするシャワーホルダ。
【請求項８】
壁面に設置されたシャワーハンガに嵌合保持される取付支持部と、
前記取付支持部に取り付けられ、前記取付支持部の上下方向に沿って移動可能な連結アームと、
前記連結アームの先端部に取り付けられ、シャワーヘッドを保持可能なシャワーヘッド保持部とを有することを特徴とするシャワーホルダ。
【請求項９】
請求項８記載のシャワーホルダにおいて、前記連結アームはその前記取付支持部側の端部に出没可能に形成されたストッパを備え、前記ストッパは前記取付支持部内に形成された凹凸部に嵌合して前記連結アームの上下方向の移動を規制することを特徴とするシャワーホルダ。
【発明の詳細な説明】
【技術分野】
【０００１】
本発明は、浴室や洗面所等に設置されるシャワー装置に関し、特に、既存の設備に変更を加えることなく、既設のシャワーハンガに取り付けるだけでシャワーヘッドの位置や方向を適宜変更できるようにしたシャワーホルダに関する。
【背景技術】
【０００２】
従来より、浴室等に設置された既設のシャワーハンガを利用して、シャワーヘッドの位置や方向を適宜変更できるようにしたシャワーホルダは数多く提案されている。例えば、実開平5-57064号公報には、既設のシャワーハンガに別部品のアダプタを装着してシャワーヘッドを上下に首振り可能とした構成が開示されている。このアダプタはシャワーヘッド保持部が上下に揺動可能に形成されており、そこにシャワーヘッドを取り付けることにより、ヘッドを所望の角度に調整できるようになっている。
【０００３】
また、特開平7-268920号公報には、浴室内に設置された支持棒（手摺り）に取り付けられるシャワーハンガが開示されている。このシャワーハンガは、支持棒上の任意の位置で固定可能であると共に、その側部にはシャワーヘッドを任意の角度で保持可能なハンガ部が設けられている。シャワーヘッドの高さ位置や角度は、シャワーハンガの固定位置やハンガ部の角度により適宜設定でき、これにより、使用者の身長や姿勢に合わせて散水位置を調整できるようになっている。
【０００４】
さらに、実開平5-83068号公報には、上下に設置された既設のハンガにパイプを取り付け、このパイプ上に上下移動可能なシャワーヘッドホルダを設けたシャワー装置が開示されている。この他にも、実用新案登録第3080690号公報や実開平5-61259号公報には、既設のハンガに取り付けることにより、シャワーヘッドの位置を変更可能としたシャワーヘッド保持装置が開示されている。
【特許文献１】実開平5-57064号公報
【特許文献２】特開平7-268920号公報
【特許文献３】実開平5-83068号公報
【特許文献４】実用新案登録第3080690号公報
【特許文献５】実開平5-61259号公報
【特許文献６】特開平7-292731号公報
【特許文献７】特開平7-331714号公報
【特許文献８】実用新案登録第3084385号公報
【特許文献９】実開平6-46062号公報
【特許文献１０】実開平７-15867号公報
【発明の開示】
【発明が解決しようとする課題】
【０００５】
このようなシャワーホルダは、シャワーヘッドの上下方向の位置と角度の調整を行う構成となっており、壁面に対して直角方向、すなわち、使用者に向かった方向への散水位置の調整は、シャワーヘッドの角度調節によって行われる。しかしながら、壁面から離れた位置では、確かにシャワーヘッドの角度調節により湯水は届くものの、シャワーの水が拡散してしまい所望の部分に十分な水圧で湯水を当てることができない。このため、十分な水圧でシャワーを浴びるためには、壁際のシャワー直下まで体を寄せる必要がある。ところが、シャワー直下には水栓が配置されていることも多く、その場合には足の置き場がなく、例えば座ったままで洗髪を行おうとすると、前屈みの無理な姿勢を余儀なくされるという問題があった。特に、お年寄りや腰を痛めている人などにとっては、かかる前屈みの姿勢は相当な苦痛を伴う。また、足にけがを負っている場合なども、座った姿勢で壁際に頭を寄せることが難しく、その改善が求められていた
【０００６】
さらに、壁面に操作パネル等の電気製品が設置されている場合、シャワーを壁際に使用するとそこに湯水がかかり、故障の原因となるという問題もあった。加えて、壁面に鏡が取り付けられている場合や、壁面近くに石鹸やシャンプーなどを置くシャンプー台などがある場合、それらに泡や湯水がかかり、鏡面やシャンプー台が汚れるなどの問題があった。
【０００７】
一方、特開平7-268920号公報やに示されているような、支持棒にシャワーハンガを取り付けるタイプのものは支持棒の存在が前提となっており、浴室内に支持棒がない場合には適用できず、支持棒を後に取り付けるには大掛かりな工事が必要となる。この点、実開平5-83068号公報のシャワー装置は、既存のハンガにパイプを掛け渡す構成のため、設置工事は必要ない。ところが、浴室壁面に設けられたハンガは必ずしも鉛直線上には配置されておらず、それらが斜めにずれて取り付けられている場合、ハンガ間にパイプを掛け渡すことができなくなる。
【０００８】
本発明の目的は、既存の設備に変更を加えることなく、既設のシャワーハンガに取り付けるだけでシャワーヘッドの位置や方向を適宜変更できるようにしたシャワーホルダを提供することにある。
【課題を解決するための手段】
【０００９】
本発明のシャワーホルダは、壁面に設置されたシャワーハンガに嵌合保持される取付支持部と、前記取付支持部に設けられた連結アームと、前記連結アームの先端部に取り付けられ、シャワーヘッドを保持可能なシャワーヘッド保持部とを有することを特徴とする。
【００１０】
本発明のシャワーホルダは、取付支持部を既設のシャワーハンガに取り付け、シャワーヘッド保持部にシャワーヘッドを装着して使用する。シャワーを使用する際には、使用者は連結アームの先端部に取り付けられたシャワーヘッドを用いて洗髪等を行い、前屈みの無理な姿勢を取らなくとも十分な水圧でシャワーを使用できる。
【００１１】
前記連結アームを伸縮可能に形成しても良い。この場合、使用者は、連結アームを伸張させ、自分の位置に合わせて最も使い勝手の良い位置までシャワーヘッドを適宜自分の方へ引き寄せることができ、前屈みの無理な姿勢を取らなくとも十分な水圧でシャワーを使用できる。
【００１２】
前記シャワーホルダにおいて、前記連結アームを伸縮棒にて構成しても良い。また、前記シャワーヘッド保持部を、前記連結アームを中心に揺動又は回転可能に設けても良い。
【００１３】
本発明の他のシャワーホルダは、壁面に設置された複数個のシャワーハンガにそれぞれ嵌合保持される複数個の取付支持部と、前記取付支持部に取り付けられ、前記壁面に対し揺動又は回転可能なガイドホルダと、前記ガイドホルダに保持されて前記シャワーハンガ間に架設されるガイドレールと、シャワーヘッドを保持可能なシャワーヘッド保持部を備え、前記ガイドレールに沿って移動可能に取り付けられたスライダとを有することを特徴とする。
【００１４】
前記シャワーホルダにおいて、前記スライダを、前記ガイドレールに取り付けられるスライダ本体と、前記スライダ本体とは別体に形成された前記シャワーヘッド保持部と、前記スライダ本体と前記シャワーヘッド保持部との間に設けられ伸縮可能に形成された連結アームとを有する構成としても良い。
【００１５】
前記シャワーホルダにおいて、前記シャワーヘッド保持部を回転可能に設けても良い。
【００１６】
さらに、本発明の他のシャワーホルダは、壁面に設置されたシャワーハンガに嵌合保持される取付支持部と、前記取付支持部に取り付けられ、前記取付支持部の上下方向に沿って移動可能な連結アームと、前記連結アームの先端部に取り付けられ、シャワーヘッドを保持可能なシャワーヘッド保持部とを有することを特徴とする。
【００１７】
前記シャワーホルダにおいて、前記連結アームの前記取付支持部側の端部にストッパを出没可能に設け、前記ストッパを前記取付支持部内に形成された凹凸部に嵌合して前記連結アームの上下方向の移動を規制するようにしても良い。なお、前記シャワーホルダにおいても、前記連結アームを前記取付支持部から前記壁面に対し垂直な方向に伸縮可能に形成したり、前記シャワーヘッド保持部を前記連結アームに対し前記壁面と平行な面に沿って回転可能に設けたりしても良い。
【発明の効果】
【００１８】
本発明のシャワーホルダによれば、シャワーハンガに嵌合保持される取付支持部とシャワーヘッド保持部との間を連結アームにて接続したので、使用者の手前側にシャワーヘッドを配置可能なシャワーホルダを、特別な改造や工事を行うことなく、既設のシャワーハンガを利用して浴室等に設置することができる。これにより、使用者は最も使い勝手の良い位置にてシャワーヘッドを使用することができ、十分な水圧を得るべく使用者自身が壁面近くまで体や頭を近付ける必要がなく、前屈みの無理な姿勢から解放される。また、壁面近くの水栓が邪魔をして足の置き場に窮することもなく、お年寄りや腰を痛めている人、足に故障のある人なども、十分な水圧によって楽な姿勢で洗髪等を行うことが可能となる。
【００１９】
さらに、シャワーヘッドを連結アーム先端部に配置することにより、浴室の洗い場中央に近い位置でシャワーを使用できるため、壁面に設置されている操作パネル等にも湯水がかかりにくくなり、水掛かりによる故障を防止することが可能となる。加えて、壁面の鏡や壁面近くに置いたシャンプー台などにも泡や湯水がかかりにくくなり、それらの汚れを防止することが可能となる。
【発明を実施するための最良の形態】
【００２０】
以下、本発明の実施例を図面に基づいて詳細に説明する。
【実施例１】
【００２１】
図１は、本発明の実施例１であるシャワーホルダの構成を示す斜視図である。図１のシャワーホルダ１は、浴室内に設置されたシャワーハンガ２に取り付けられる取付支持部３と、シャワーヘッド４を保持するシャワーヘッド保持部５と、取付支持部３とシャワーヘッド保持部５との間を連結する連結アーム６とから構成されている。連結アーム６は、図２に示すように、伸縮自在となっており、シャワーヘッド保持部５は浴室の壁面７に対して垂直な方向に移動可能に設けられている。
【００２２】
シャワーハンガ２は、浴室の壁面７に図示しないビスによって固定されている。シャワーハンガ２の中央には、ヘッド保持部２ａが上下方向に貫通形成されている。ヘッド保持部２ａは、下端部の内径が上端部の内径よりも小さくなったテーパ形状に形成されている。通常、このヘッド保持部２ａにはシャワーヘッド４が上側から挿入され、シャワーヘッド４の下部の嵌合部４ａが嵌合保持される。
【００２３】
本実施例においては、ヘッド保持部２ａには、シャワーホルダ１の取付支持部３が挿入される。取付支持部３は合成樹脂にてＬ字型に形成されており、図１において下方側の一辺は挿入部３ａとなっている。挿入部３ａは、下端部の外径が上端部の外径よりも小径となったテーパ状となっており、シャワーハンガ２のヘッド保持部２ａに上側から挿入され、そこに嵌合保持される。
【００２４】
取付支持部３の上方側の一辺は、円筒形状のサポート部３ｂとなっている。サポート部３ｂの端部には、連結アーム６が設けられている。連結アーム６は、ロッドアンテナや三脚の脚などに使用されているような多節の伸縮棒によって形成されており、壁面７に対し垂直な方向（矢示Ｘ方向）に伸縮可能となっている。多節の伸縮棒は各節が入れ子状に形成されて伸縮自在となっており、ここでは、例えば節数が３〜１０程度で伸張時の全長が２０〜５０ｃｍ程度のものが使用される。なお、ここでは浴室内での使用を想定しているため、連結アーム６にはステンレス製や合成樹脂製の多節の伸縮棒を使用する。また、連結アーム６としては、伸縮機能を有しないステンレス棒や合成樹脂棒を使用することもできる。
【００２５】
また、連結アーム６として、多節の伸縮棒以外にも、螺子式の伸縮棒を使用することもできる。螺子式の伸縮棒は、棒の一端部を回転させると軸方向に棒が伸縮するようになっており、例えば突っ張り棒の長さ調節部などに使用されている。連結アーム６に螺子式の伸縮棒を使用した場合、シャワー使用時の水圧によって連結アーム６が不用意に伸縮することがなく、シャワーヘッド４の位置が安定する。
【００２６】
連結アーム６の先端部には、合成樹脂製のシャワーヘッド保持部５が取り付けられている。シャワーヘッド保持部５は、連結アーム６が取り付けられたサポート部５ａと、シャワーヘッド４が保持されるホルダ部５ｂとから構成されている。ホルダ部５ｂはシャワーハンガ２と同様の形態となっており、その中央部にはヘッド保持部５ｃが形成されている。シャワーヘッド保持部５には、図１に示すように、シャワーヘッド４が上側から挿入され、シャワーヘッド４の下部の嵌合部４ａがヘッド保持部５ｃに嵌合保持される。
【００２７】
シャワーヘッド４は、浴室内に既設のものを使用する。シャワーヘッド４には、嵌合部４ａの上方に、グリップ部４ｂとノズル部４ｃが設けられている。嵌合部４ａは、シャワーヘッド４をシャワーハンガ２やシャワーホルダ１に保持させるために使用される。グリップ部４ｂは、使用者がシャワーヘッド４を把持する際に使用する。ノズル部４ｃには多数の孔が形成されており、シャワーホース８を介して供給された湯水がそこから吐出される。
【００２８】
このようなシャワーホルダ１は、次のようにして使用される。まず、シャワーホルダ１を既設のシャワーハンガ２に装着する。前述のように、挿入部３ａはヘッド保持部２ａに嵌合可能に形成されており、シャワーホルダ１は既存のシャワーハンガ２に容易に取り付けることができる。すなわち、シャワーホルダ１は、特別な改造や工事を行うことなく、極めて簡単に既存の施設に装着することができる。
【００２９】
シャワーを使用する際には、使用者は自分の位置に合わせてシャワーヘッド４を適宜自分の方へ引き寄せる。シャワーヘッド４が保持されているシャワーヘッド保持部５は、連結アーム６によって壁面７に対し垂直方向に移動可能となっており、使用者は最も使い勝手の良い位置までシャワーヘッド４を引き寄せることができる。従って、十分な水圧を得るべく使用者自身が壁面近くまで体や頭を近付ける必要がなく、前屈みの無理な姿勢を取る必要もない。また、水栓が邪魔をして足の置き場に窮することもない。このため、お年寄りや腰を痛めている人、足に故障のある人なども、十分な水圧によって楽な姿勢で洗髪等を行うことが可能となる。
【００３０】
また、シャワーヘッド４を引き寄せることにより、浴室の洗い場中央に近い位置でシャワーを使用できるため、壁面７に設置されている操作パネル等にも湯水がかかりにくくなり、水掛かりによる故障も防止できる。さらに、壁面の鏡や壁面近くに置いたシャンプー台などにも泡や湯水がかかりにくくなり、それらの汚れも防止できる。
【００３１】
なお、実用新案登録第3080690号公報のものでもシャワーヘッドを手前側に引くことは可能であるが、アーム部の屈曲による位置変化のため、壁面と垂直な方向には上下左右方向ほどは自由度はない。また、可撓アームの強度的な問題から、シャワーヘッドを手前側に大きく移動可能な構造は取りにくい。すなわち、当該考案では、本願発明のような手前側への引き寄せは意識されておらず、専ら、シャワーヘッドの角度を任意に変化し得る点が技術的特徴となっている。
【００３２】
シャワーホルダ１では、シャワーヘッド保持部５を壁面７と平行な面に沿って回転可能に設けても良い。この場合、シャワーヘッド保持部５は、連結アーム６を中心に図２の矢示Ｙ方向に回転可能となる。これにより、シャワーヘッド４をより広範囲にわたって所望の方向に向けることができるようになる。なお、シャワーヘッド保持部５と連結アーム６との間は固着状態とし、連結アーム６と取付支持部３との間を回転可能に接続しても良い。
【００３３】
さらに、シャワーヘッド保持部５と連結アーム６との間を、ボールジョイントのような自在継手にて接続しても良い。自在継手を用いると、シャワーヘッド保持部５は上下方向（図２矢示Ｚ方向）への首振り動作も可能となり三次元的な動作が可能となる。従って、シャワーヘッド４を任意の方向に向けて設置でき、連結アーム６の伸縮と相俟って、より自由な散水方向の設定が可能となる。
【００３４】
一方、シャワーホルダ１の連結アーム６は、タオルハンガとして使用することも可能である。図３〜図６は、このようなシャワーホルダ１の他の利用法や種々の変形例を示す説明図である。図３は、連結アーム６をタオルハンガとして利用した場合であり、連結アーム６にはこのようなタオル以外にも、ハンガ等の物干し用具を吊すことができる。
【００３５】
ここで、近年、乾燥機を備えた浴室が増加しているが、そこでは一般に浴槽側にしか物を干すことができず、洗い場側のスペースが無駄になっているのが実状である。これに対し、当該シャワーホルダ１を設置すれば、洗い場側も物干しスペースとして活用することができ、スペースの有効活用が可能となる。シャワーハンガ２は、立ってシャワーを浴びることを想定して高い位置にも設置されているのが通常であり、そこにシャワーホルダ１を設置することにより、乾燥機の吹き出し口の近くで温風を効果的に受けることができ、効率良く洗濯物を乾燥させることができる。
【００３６】
また、タオルハンガや物干しとしての機能を強化すべく、連結アーム６の他に伸縮棒を複数本設けても良い。すなわち、例えば、図４に示すように、連結アーム６の両側に伸縮棒からなるハンガーアーム９を各１本ずつ設ける。各ハンガーアーム９は、取付支持部３側を中心に左右方向（図４の矢示Ａ方向）に回転可能、かつ、前後方向（図４の矢示Ｂ方向）に移動可能に取り付けられる。取付支持部３の側面には、ハンガーアーム９が前後に移動可能なように可動孔３３を形成する。これにより、左右の伸縮棒にさらにタオルなどを掛けることができる一方、使用しないときは、短く縮めた上で連結アーム６の近くに配置しておけば、邪魔にもならない。なお、取付支持部３と、伸縮棒又は突っ張り棒との組み合わせにより、浴室内の物干し棒を構成することも可能である。
【００３７】
加えて、取付支持部３を単なるＬ字型の合成樹脂部材ではなく、図５に示すようにフラワーポットとして用いたり、図６に示すように芳香剤の収容部を設けたりしても良い。フラワーポットの場合、例えば、サポート部３ｂから挿入部３ａ内部に向かって、合成樹脂成形品の肉抜きを兼ねて、花入れ用の孔１０を形成する。芳香剤を収容する場合には、取付支持部３内に空洞部１１を設け、そこに芳香剤を収容する。空洞部には、外部と連通可能な格子状の窓を持つ扉１２を設置し、芳香剤の交換等と行うと共に、そこから香り成分を拡散させる。
【００３８】
さらに、シャワーホルダ１では、連結アーム６に絵や文字を記載し、その伸縮により絵やロゴ，商標等が表示されるようにしても良い。例えば、伸縮時には子犬であるものが、連結アーム６の伸張に伴いダックスフントに変化するような絵や、「阪神優勝」等の標語、黄色と黒色の縞模様などの彩色、「のびのびシャワージョイント」などの商標、アニメのキャラクターが続々登場する構成などを採ることができる。これにより、子供のお風呂タイムの楽しみが増大したり、商品の宣伝効果を向上させたりすることが可能となる。
【実施例２】
【００３９】
図７は、本発明の実施例２であるシャワーホルダの構成を示す斜視図である。なお、以下の実施例では、実施例１と同様の部材、部分については同一の符号を付し、その説明は省略する。
【００４０】
図７のシャワーホルダ１３は、上下に配置された２個のシャワーハンガ２（２ｐ,２ｑ）を利用して取り付けられる。シャワーホルダ１３には、上下に２個の取付支持部３（３ｐ,３ｑ）が設けられている。各取付支持部３には、ジョイント３４を介して合成樹脂製のガイドホルダ１４（１４ｐ,１４ｑ）が取り付けられている。ジョイント３４には、例えばボールジョイントやユニバーサルジョイント等の自在継手が使用され、ガイドホルダ１４は、壁面７と平行な面に沿って回転可能（矢示Ｐ方向）、かつ、上下（矢示Ｑ方向）、左右（矢示Ｒ方向）に動作可能に取り付けられている。
【００４１】
ガイドホルダ１４は円筒形状に形成され、合成樹脂又はステンレス鋼にて形成されたガイドレール１５（ガイドレール）が挿通される。ガイドレール１５は、ガイドホルダ１４の側面に設けられた固定ねじ１６を締め付けることによって上下方向の移動が規制され、ガイドホルダ１４内に保持される。この取付支持部３とガイドホルダ１４により、ガイドレール１５はシャワーハンガ２ｐ,２ｑ間に架設される。
【００４２】
ガイドレール１５には、軸方向に沿って移動可能なスライダ１７が取り付けられている。スライダ１７は、円筒形状のスライダ本体１８と、スライダ本体１８とは別体に形成されたシャワーヘッド保持部５から構成されている。スライダ本体１８の側面には、ガイドホルダ１４と同様の固定ねじ１６が設けられている。スライダ本体１８は、この固定ねじ１６を締め付けることによって上下方向の移動が規制され、ガイドレール１５上の所望の位置で固定できるようになっている。
【００４３】
スライダ本体１８には、ジョイント３５を介して合成樹脂製のシャワーヘッド保持部５が取り付けられている。ジョイント３５には、例えばボールジョイントやユニバーサルジョイント等の自在継手が使用され、シャワーヘッド保持部５は、壁面７と平行な面に沿って回転可能（矢示Ｐ方向）、かつ、上下（矢示Ｑ方向）、左右（矢示Ｒ方向）に動作可能に取り付けられている。
【００４４】
このようなシャワーホルダ１３は、次のようにして使用される。図８,９は、シャワーホルダ１３の使用形態を示す説明図である。シャワーホルダ１３は、取付支持部３ｐ,３ｑを既設のシャワーハンガ２ｐ,２ｑに装着することによって浴室内取り付けられる。この場合、シャワーハンガ２ｐ,２ｑが鉛直線上に上下に並んで配置されている場合には、図８のように、ガイドレール１５をシャワーハンガ２ｐ,２ｑ間に鉛直上に掛け渡す。一方、シャワーハンガ２ｐ,２ｑが鉛直線上からずれて上下に配置されている場合には、実開平5-83068号公報のような従来のシャワーホルダは、このようなシャワーハンガには取り付けることができない。
【００４５】
これに対し、本発明のシャワーホルダ１３は、ガイドホルダ１４が取付支持部３に対し回転可能に接続されているため、図９のようにシャワーハンガ２ｐ,２ｑが上下にずれていても容易に対処することができる。すなわち、取付支持部３をシャワーハンガ２ｐ,２ｑに装着した後、ガイドホルダ１４ｐ,１４ｑを適宜回転させ、その間にガイドレール１５を掛け渡せるようにする。これにより、ガイドレール１５は、図９に示すようにシャワーハンガ２ｐ,２ｑ間に問題なく架設され、上下のシャワーハンガ２ｐ,２ｑによって強固に支持される。
【００４６】
ガイドレール１５を架設した後、使用者の使用状態に合わせて、スライダ１７を移動させ、所望の高さに固定する。また、シャワーヘッド保持部５を回転させ、シャワーヘッド４を最適な方向に設定する。図９のようにガイドレール１５が傾いて設置される場合でも、シャワーヘッド保持部５が回転可能なため、シャワーヘッド４は常に鉛直方向に向けて取付可能である。このように、当該シャワーホルダ１３は、シャワーハンガ２の配置状態に関わらず、大掛かりな工事を行うことなく簡単に既存の施設に装着することができ、汎用性がきわめて高い。
【００４７】
このシャワーホルダ１３においても、実施例１と同様に、スライダ本体１８とシャワーヘッド保持部５との間に連結アーム６を介設しても良い。これにより、実施例１にて述べたような利点を当該シャワーホルダ１３でも享受することができる。実施例１では上下方向の移動の自由は考慮されていないが、シャワーホルダ１３に連結アーム６を加えることにより、上下と前後に自由度を有するシャワーホルダが実現できる。
【実施例３】
【００４８】
図１０は本発明の実施例３であるシャワーホルダの構成を示す斜視図、図１１は図１０のシャワーホルダの内部構造を示す説明図である。図１０のシャワーホルダ２１では、連結アーム６が取付支持部３に対し上下方向に移動可能に取り付けられている。
【００４９】
図１０に示すように、取付支持部３には上下方向にスリット２２が設けられている。スリット２２の奥壁部には、図１１に示すような凹凸部２３が形成されている。これに対し、連結アーム６の端部には、スリット２２に対向して、ストッパ２４が出没自在に設けられている。ストッパ２４は、連結アーム６内に形成されたストッパ孔２５に収容され、圧縮ばね２６によって、スリット２２側に向かって付勢されている。これにより、ストッパ２４の先端部は凹凸部２３の凹部２３ａに係合し、連結アーム６の上下方向の移動が規制される。
【００５０】
ストッパ２４の先端には曲面部２４ａが形成されている。曲面部２４ａは、ストッパ２４の上面側を曲面として形成されている。このため、連結アーム６を上方向に移動させる際には、連結アーム６を上方に引き上げると、曲面部２４ａの働きによりストッパ２４が自動的に後退する。後退したストッパ２４は、凹凸部２３の凸部２３ｂを乗り上げるとその上側の凹部２３ａに係入する。従って、連結アーム６は、それを上方に引き上げるだけで容易に上方向に移動させ、所望の位置でロックすることができる。
【００５１】
これに対し、連結アーム６を下方向に移動させる際には、ストッパ２４の下面側は平面となっているため凹部２３ａと当接し、その位置でロックされる。すなわち、シャワー使用時には下方向に力が加わるため、簡単には連結アーム６を下げることができないようになっている。そのため、ストッパ２４には、ストッパ２４を手動にて後退させるための操作ボタン２７が設けられている。操作ボタン２７はストッパ２４の側面に取り付けられ、ガイド孔２８に沿って連結アーム６の長手方向に移動可能に設けられている。操作ボタン２７を圧縮ばね２６の付勢力に抗して手前側（シャワーヘッド保持部５側）に引くと、ストッパ２４が後退して凹凸部２３との係合が解除される。これにより、連結アーム６の上下方向の移動が解除され、連結アーム６は上下方向に自由に移動できるようになる。
【００５２】
取付支持部３と連結アーム６との間にはさらに、連結アーム６の脱落防止用に係合部２９が設けられている。係合部２９は、取付支持部３に設けたスリット３１と、連結アーム６に設けた係合片３２とから構成されており、スリット３１に係合片３２が挿入係合される。スリット３１は、図１０に示すように、スリット２２を挟んで連結アーム６の両側部に１個ずつ形成されており、スリット２２と同様に上下方向に延びている。係合片３２は、連結アーム６の端部の両側面に形成されており、互いに向き合うように内側に向かって突設されている。
【００５３】
係合片３２は、取付支持部３の上面からスリット３１に挿入される。これにより、連結アーム６が取付支持部３と分離しようとする長手方向の動きが規制され、連結アーム６の脱落防止が図られる。これにより、連結アーム６は上下方向に移動可能に取付支持部３に保持されると共に、ストッパ２４の働きにより上下方向の位置を適宜設定することが可能となる。
【００５４】
このようなシャワーホルダ２１もまた、取付支持部３を既設のシャワーハンガ２に装着することによって浴室内取り付けられる。取付支持部３は、上下方向のほぼ中央の位置にてシャワーハンガ２と嵌合し、そこで保持される。ここで、連結アーム６の幅Ｗ1は、シャワーハンガ２の開口部２ｂ  の幅Ｗ2よりも小さくなっており（Ｗ1＜Ｗ2）、連結アーム６は、開口部２ｂ  を通過して取付支持部３内を上下方向に移動できる。これにより、連結アーム６は、シャワーハンガ２よりも下の位置に移動させることも可能となる。従って、シャワーハンガ２が上下に配置されている場合、従来設置不可能であった下方のシャワーハンガ２よりもさらに下の位置にシャワーヘッド４を移動させることが可能となる。
【００５５】
シャワーホルダ２１をシャワーハンガ２に取り付けた後、シャワーヘッド保持部５にシャワーヘッド４を装着する。そして、使用者の使用状態に合わせて連結アーム６を移動させ、所望の高さに固定する。その際、前述のように、上方向への移動は連結アーム６を引き上げるだけ良い。一方、下方への移動は、操作ボタン２７を手前側に引くことによって行う。
【００５６】
このシャワーホルダ２１においても、実施例１と同様に、シャワーヘッド保持部５を壁面７に対して垂直な方向に移動可能に設けても良い。この場合、当該シャワーホルダ２１では、連結アーム６とシャワーヘッド保持部５との間に伸縮部材を介設する。これにより、実施例１にて述べたような利点を当該シャワーホルダ２１でも享受することができる。この場合も、実施例１では考慮されていない上下方向の移動の自由が確保され、上下と前後に自由度を有するシャワーホルダが実現できる。
【００５７】
本発明は前記実施例に限定されるものではなく、その要旨を逸脱しない範囲で種々変更可能であることは言うまでもない。
例えば、前述の実施例は家庭の浴室内のシャワー装置に本発明のシャワーホルダを使用する場合について説明したが、当該シャワーホルダの使用範囲はこれには限定されず、屋外やプール，公衆浴場等の各種施設のシャワーにも適用可能である。また、実施例１では、伸縮可能な連結アーム６として伸縮棒を用いた構成を示したが、伸縮部材はこれには限定されず、例えばパンタグラフなども使用可能である。さらに、実施例１では連結アーム６を１本とした構成を示したが、強度確保のため、これを複数本配置することも可能である。
【図面の簡単な説明】
【００５８】
【図１】本発明の実施例１であるシャワーホルダの構成を示す斜視図である。
【図２】本発明の実施例１であるシャワーホルダの構成を示す斜視図であり、連結アームが伸張した状態を示している。
【図３】本発明のシャワーホルダの他の利用法を示す説明図である。
【図４】本発明のシャワーホルダの変形例を示す説明図である。
【図５】本発明のシャワーホルダの他の変形例を示す説明図である。
【図６】本発明のシャワーホルダの他の変形例を示す説明図である。
【図７】本発明の実施例２であるシャワーホルダの構成を示す斜視図である。
【図８】図７のシャワーホルダの使用形態を示す説明図である。
【図９】図７のシャワーホルダの使用形態を示す説明図であり、上下のシャワーハンガが鉛直線上にない場合を示している。
【図１０】本発明の実施例３であるシャワーホルダの構成を示す斜視図である。
【図１１】図１０のシャワーホルダの内部構造を示す説明図である
【符号の説明】
【００５９】
１    シャワーホルダ
２,２ｐ,２ｑ    シャワーハンガ
２ａ  ヘッド保持部
２ｂ  開口部
３,３ｐ,３ｑ    取付支持部
３ａ  挿入部
３ｂ  サポート部
４    シャワーヘッド
４ａ  嵌合部
４ｂ  グリップ部
４ｃ  ノズル部
５    シャワーヘッド保持部
５ａ  サポート部
５ｂ  ホルダ部
５ｃ  ヘッド保持部
６    連結アーム
７    壁面
８    シャワーホース
９    ハンガーアーム
１０    孔
１１    空洞部
１２    扉
１３    シャワーホルダ
１４,１４ｐ,１４ｑ    ガイドホルダ
１５    ガイドレール
１６    固定ねじ
１７    スライダ
１８    スライダ本体
２１    シャワーホルダ
２２    スリット
２３    凹凸部
２３ａ  凹部
２３ｂ  凸部
２４    ストッパ
２４ａ  曲面部
２５    ストッパ孔
２６    圧縮ばね
２７    操作ボタン
２８    ガイド孔
２９    係合部
３１    スリット
３２    係合片
３３    可動孔
３４    ジョイント
３５    ジョイント
【図１】
2005188172.tif 000003
【図２】
2005188172.tif 000004
【図３】
2005188172.tif 000005
【図４】
2005188172.tif 000006
【図５】
2005188172.tif 000007
【図６】
2005188172.tif 000008
【図７】
2005188172.tif 000009
【図８】
2005188172.tif 000010
【図９】
2005188172.tif 000011
【図１０】
2005188172.tif 000012
【図１１】
2005188172.tif 000013